(57)【要約】【課題】従来の複合スイッチは操作板と摺動板の間に静止摩擦抵抗があり、スイッチ動作が不安定で、動作不良が多発する課題があった。【解決手段】第一の操作板と第二の操作板を個別にまたは同時に摺動操作可能にスイッチ筐体に設け、この第一、第二の操作板に対してほぼ直角にスイッチボタンを繋止または繋止を開放するカム部を有する摺動板を摺動自在にスイッチ筐体に設け、この第一，第二の操作板と前記の摺動板を相互に接触リンクさせるリンク可動板を設けるとともに、第一の操作板と第二の操作板を同時の押し込んだ場合のみスイッチボタンを押し込むことができるようにしたことを特徴とする複合スイッチ。【選択図】図１
2007294367.tif 000002
【特許請求の範囲】
【請求項１】
ジューサーミキサーや調理機器などに使用されるスイッチにおいて、第一の操作板と第二の操作板を個別にまたは同時に摺動操作可能にスイッチ筐体に設け、この第一、第二の操作板に対してほぼ直角にスイッチボタンを繋止または繋止を開放するカム部を有する摺動板を摺動自在にスイッチ筐体に設け、この第一，第二の操作板と前記の摺動板を相互に接触リンクさせるリンク可動板を設けるとともに、第一の操作板と第二の操作板を同時の押し込んだ場合のみスイッチボタンを押し込むことができるようにしたことを特徴とする複合スイッチ。
【請求項２】
第一と第二の操作板とスイッチボタンを繋止または繋止を開放するカム部を有する摺動板を相互に接触リンクさせるリンク可動板はほぼＬ字形状をし、Ｌ字の一端に回動穴を設け、他端には第一、第二の操作板に当接するカム部と摺動板に当接する先端部を設けたことを特徴とする請求項１に記載の複合スイッチ。
【発明の詳細な説明】
【技術分野】
【０００１】  本発明はジューサーミキサーや調理機器などの複合スイッチに関するものである。
【背景技術】
【０００２】  従来のこの種の複合スイッチは例えば左レバーをセットし、さらに右レバーをセットしないと、運転スイッチが入らないものであるが（安全のために）、スイッチの動作が不確定で動作不良になることが多かった。（例えば非特許図面、図３、図４参照）。【０００３】  以下、図３、図４について、従来の複合スイッチを説明する。図３、図４において１は第一の操作板で、２は第二の操作板である。これにほぼ直角にスイッチボタン３，４，５，６の繋止または繋止を開放するカム部を有する摺動板７を摺動自在にスイッチ筐体８に設けている。このスイッチでは第一の操作板１と第二の操作板２を図中矢印Ａ方向に同時に押し込んだ場合のみ摺動板７は図中矢印Ｂ方向に押しバネ９の押し圧により摺動する。また、摺動板７の右端には約４５°傾斜した接圧部７′があり、第一の操作板１の受圧部１′と第二の操作板２の受圧部２′に当接していて、図４に示すように、第一の操作板１と第二の操作板２を図中矢印Ａ方向に同時に押し込んだ場合のみ摺動板７は図中Ｂの方向に押しバネ９の押し圧により摺動するようになっている。この場合には、スイッチボタン３，４，５は押し込み可能となって、スイッチが閉じた状態で繋止される。図４は従来例の複合スイッチの第一の操作板と第二の操作板を押し込んだ状態の平面図を示している。
【発明の開示】
【発明が解決しようとする課題】
【０００４】    以上述べた従来の複合スイッチでは摺動板７の右端に約４５°傾斜した接圧部７′が、第一の操作板１の受圧部１′と第二の操作板２の受圧部２′に当接していて、第一の操作板１と第二の操作板２を図中矢印Ａ方向に同時に押し込んだ場合のみ摺動板７は図中Ｂの方向に押しバネ９の押し圧により摺動するようになっているが、この接圧部７′と受圧部１′、受圧部２′部間に静止摩擦力が働いて互いに引っ掛かりあい、スムーズに摺動板７が図中Ｂ方向に動かない場合が多く発生し、動作不良になる課題があった。
【課題を解決するための手段】
【０００５】  この課題を解決するための技術的手段は次の通りである。即ち、図１、図２において、第一の操作板１と第二の操作板２を個別にまたは同時に摺動操作可能にスイッチ筐体８に設け、この第一、第二の操作板１，２に対してほぼ直角にスイッチボタン３，４，５，６を繋止または繋止を開放するカム部を有する摺動板７を摺動自在にスイッチ筐体８に設け、この第一，第二の操作板１，２と前記の摺動板７との当接部にこの両者を相互に接触リンクさせる回動可能なリンク可動板１０を設けるとともに、第一の操作板１と第二の操作板２を同時の押し込んだ場合のみスイッチボタン３，４，５、を押し込むことができるようにしたことを特徴とする複合スイッチである。【０００６】  また、第一と第二の操作板１、２、とスイッチボタンを繋止または繋止を開放するカム部を有する摺動板７を相互に接触リンクさせる回動可能なリンク可動板１０はほぼＬ字形状をし、Ｌ字の一端に回動穴１１を設けて回動可能にし、他端には第一、第二の操作板１，２に当接するカム部１０′と摺動板に当接する先端部１０′′を設けた構成にして、部材相互間に静止摩擦が発生しないようにしたことを特徴とする複合スイッチである。
【発明の効果】
【０００７】  上述したように、第一の操作板１、第二の操作板２と摺動板７の間にＬ字形状の回動自在なリンク可動板１０を介在させると、従来例のような静止摩擦力の発生がなくなり、スイッチの動作不良が防止できる。
【発明を実施するための最良の形態】
【０００８】  次に、本発明を実施するための最良の形態について実施例を図１〜図２ついて説明する。
【実施例１】
【０００８】  図１は本発明の複合スイッチの平面図と側面図である。図２は本発明の複合スイッチの第一の操作板と第二の操作板を押し込んだ状態の平面図と側面図である。【０００９】  図１、図２、において、１は第一の操作板、２は第二の操作板である。第一の操作板１と第二の操作板２は摺動操作可能にスイッチ筐体８に設け、この第一、第二の操作板１，２に対してほぼ直角にスイッチボタン３，４，５，６を繋止または繋止を開放するカム部を有する摺動板７を摺動自在にスイッチ筐体８に設けている。この第一，第二の操作板１，２と前記の摺動板７との当接部にこの両者を相互に接触リンクさせる回動可能なリンク可動板１０を介在して設けている。第一の操作板１と第二の操作板２を同時の押し込んだ場合のみリンク可動板１０は図２に示すように図中左回動が自由になり、摺動板７は図中Ｂ方向に摺動して、スイッチボタン３，４，５、を押し込むことができるようになる。【００１０】  また、第一と第二の操作板１、２、とスイッチボタンを繋止または繋止を開放するカム部を有する摺動板７を相互に接触リンクさせる回動可能なリンク可動板１０はほぼＬ字形状をし、Ｌ字の一端に回動穴１１を設け、他端には第一、第二の操作板１，２に当接するカム部１０′と摺動板に当接する先端部１０′′を設けたことにより、第一、第二の操作板１，２と摺動板７との間に静止摩擦力が発生しなくなり、スイッチの動作不良が防止できる。なお、１２は操作板１，２を図中上方に押し戻すためのバネである。９は摺動板７を図中右方向に押しつけるバネである。
【図面の簡単な説明】
【００１１】
【図１】本発明の複合スイッチの平面図と側面図である。
【図２】本発明の複合スイッチの第一の操作板と第二の操作板を押し込んだ状態の平面図と側面図である。
【図３】従来例の複合スイッチの平面図である。
【図４】従来例の複合スイッチの第一の操作板と第二の操作板を押し込んだ状態の平面図である。
【符号の説明】
【００１２】１    第一の操作板
２    第二の操作板
３    スイッチボタン
４    スイッチボタン
５    スイッチボタン
６    スイッチボタン
７    摺動板
８    スイッチ筐体
９    押しバネ
１０  可動板
１１  可動板の回動穴
１２  押しバネ
【図１】
2007294367.tif 000003
【図２】
2007294367.tif 000004
【図３】
2007294367.tif 000005
【図４】
2007294367.tif 000006